(57)【要約】【課題】光の利用効率を挙げて一定の光量を確保するとともに小型化を実現した光源ユニット及びプロジェクタ装置を提供する。【解決手段】ランプ収納用開口と光照射用開口が形成されているとともに内面が鏡面加工されている多項式面形状のリフレクタと、光を放射するバルブと前記バルブに電極を案内する電極導入部とが備えられた前記収納用開口から前記リフレクタ内に挿入されるとともに前記バルブから放射されて前記リフレクタの内壁により反射された放射光の焦点位置が前記電極導入部上に位置しないように前記バルブが配置された光源と、前記リフレクタから放射された光を集光すると共に前記光源から放射された光の光軸上に位置するように配置された集光用レンズと、を備えることを特徴とする光源ユニット。【選択図】図３
2006243651.tif 000002
【特許請求の範囲】
【請求項１】
ランプ収納用開口と光照射用開口が形成されているとともに内面が鏡面加工されている多項式面形状のリフレクタと、
光を放射するバルブと前記バルブに電極を案内する電極導入部とが備えられた前記収納用開口から前記リフレクタ内に挿入されるとともに前記バルブから放射されて前記リフレクタの内壁により反射された放射光の焦点位置が前記電極導入部上に位置しないように前記バルブが配置された光源と、
前記リフレクタから放射された光を集光すると共に前記光源から放射された光の光軸上に位置するように配置された集光用レンズと、
を備えることを特徴とする光源ユニット。
【請求項２】
前記集光用レンズは、一方のレンズ面が凹面状に形成され、他方のレンズ面は凸面状に形成されていることを特徴とする請求項１に記載の光源ユニット。
【請求項３】
前記集光用レンズは、前記一方のレンズ面の中心部が窪むように形成されているとともに、前記他方のレンズ面の中心部が膨出するように形成されていることを特徴とする請求項２に記載の光源ユニット。
【請求項４】
ランプ収納用開口と光照射用開口が形成されていると共に内面が鏡面加工されている多項式面形状のリフレクタと、
光を放射するバルブと前記バルブに電極を案内する電極導入部とが備えられた前記収納用開口から前記リフレクタ内に挿入されるとともに前記バルブから放射されて前記リフレクタの内壁により反射された放射光の焦点位置が前記電極導入部上に位置しないように前記バルブが配置された光源と、
前記リフレクタから放射された光を集光すると共に前記光源から放射された光の光軸上に位置するように配置された集光用レンズと、
を備える光源ユニットと、
前記集光用レンズから出射された光を案内するミラートンネルと、
前記ミラートンネルから出射された光を集光するレンズと、
前記レンズから出射された光を受けて画像を映写するマイクロミラー素子と、
前記マイクロミラー素子から映写された画像を拡大する投影レンズと、
を備えることを特徴とするプロジェクタ装置。
【請求項５】
前記集光用レンズは、一方のレンズ面が凹面状に形成され、他方のレンズ面は凸面状に形成されていることを特徴とする請求項４に記載のプロジェクタ装置。
【請求項６】
前記集光用レンズは、前記一方のレンズ面の中心部が窪むように形成されていると共に前記他方のレンズ面の中心部が膨出するように形成されていることを特徴とする請求項５に記載のプロジェクタ装置。
【発明の詳細な説明】
【技術分野】
【０００１】
本発明は光源ユニットとこの光源ユニットを備えるプロジェクタ装置に係り、特に光源からの光の利用効率を低下させずに小型化した光源ユニット及びこの光源ユニットを備えるプロジェクタ装置に関する。
【背景技術】
【０００２】
プロジェクタ装置は、光源ユニットから出射された光をカラーホイールに通した後、ミラートンネルに入射させて均一な強度分布の光とし、マイクロミラー素子や液晶表示素子などで画素ごとに光量を切り換えて映写することにより、スクリーン上に画像を表示するようになっている。
【０００３】
図９に示すように光源ユニット５０は、光を照射する光源５１と、光源５１から放射された光を集光するための光軸Ｋ上に配置された凸レンズ５２と、凸レンズ５２から出射された光が入射されるミラートンネル５３とから構成されている（特許文献１参照）。
【０００４】
光源５１は、リフレクタ５４とリフレクタ５４内に挿入されたランプ５５とにより構成されている。ランプ５５はバルブ５６と電極導入部５９，５９とから構成され、バルブ５６がリフレクタ５４内に位置するように挿入されている。なお、図９ではカラーホイールの図示を省略している。
【特許文献１】特開平６−５１４０１号公報
【発明の開示】
【発明が解決しようとする課題】
【０００５】
ここで、バルブ５６から発せられてリフレクタ５４の内壁により反射された光の一部は電極導入部５９にあたって光量が減衰していた。また、凸レンズ５２ではリフレクタ５４により反射された光を十分にミラートンネル５３の入射面５３aに照射することができなかった。
【０００６】
そのため、光源ユニット５０は一定の光量を確保するために一定以上の大きさが必要となり、それを内蔵するプロジェクタ装置も大型化する傾向にあり、プロジェクタ装置の持ち運びや設置が必ずしも容易ではなかった。
【０００７】
全体を小型化する観点から、光源ユニットは小さい方が好ましいが、光源ユニットのランプは、光量確保の観点から一定以上の大きさが必要とされていた。
【０００８】
本発明の課題は、光の利用効率を挙げて一定の光量を確保するとともに従来のものと比較して小型化を実現した光源ユニット及びプロジェクタ装置を提供することにある。
【課題を解決するための手段】
【０００９】
上記課題を解決するため、請求項１に記載の光源ユニットは、ランプ収納用開口と光照射用開口が形成されているとともに内面が鏡面加工されている多項式面形状のリフレクタと、光を放射するバルブと前記バルブに電極を案内する電極導入部とが備えられた前記収納用開口から前記リフレクタ内に挿入されるとともに前記バルブから放射されて前記リフレクタの内壁により反射された放射光の焦点位置が前記電極導入部上に位置しないように前記バルブが配置された光源と、前記リフレクタから放射された光を集光すると共に前記光源から放射された光の光軸上に位置するように配置された集光用レンズと、を備えることを特徴とする。
【００１０】
請求項１に記載の発明によれば、リフレクタの形状を多項式面形状とすることでバルブから放射された光を所望の位置に集光させることができる。
【００１１】
また、請求項１に記載の発明によれば、バルブから放射されリフレクタにより反射された放射光の焦点位置は電極導入部にはないため、放射光の大部分はランプの電極導入部にあたって減衰することなくレンズに照射されるため、放射光の損失を少なくすることができる。
【００１２】
また、請求項１に記載の発明によれば、ランプのバルブはランプ挿入口付近に配置されているため、バルブを光照射用開口付近に配置した時に比較してバルブから放射されてリフレクタの内面において反射された光の焦点位置はリフレクタよりさらに離れた位置となるので、このことによっても放射光の大部分は電極導入部にあたることはなくなり、放射光の減衰は少なくなる。
【００１３】
また、請求項１に記載の発明によれば、バルブから放射された光を効率よく集光することができるので従来用いられていた光源ユニットよりも小さい光源ユニットにより従来の光源ユニットと同等の光量を集光して出射することができる。
【００１４】
請求項２に記載の発明は、請求項１に記載の光源ユニットにおいて、前記集光用レンズは、一方のレンズ面が凹面状に形成され、他方のレンズ面は凸面状に形成されていることを特徴とする。
【００１５】
請求項２に記載の発明によれば、リフレクタから放射された光を効率よく集光することができる。
【００１６】
請求項３に記載の発明は、請求項２に記載の光源ユニットにおいて、前記集光用レンズは、前記一方のレンズ面の中心部が窪むように形成されていると共に前記他方のレンズ面の中心部が膨出するように形成されていることを特徴とする。
【００１７】
請求項３に記載の発明によれば、請求項２に記載の発明と同様の作用を得ることができる。
【００１８】
請求項４に記載のプロジェクタ装置は、ランプ収納用開口と光照射用開口が形成されているとともに内面が鏡面加工されている多項式面形状のリフレクタと、光を放射するバルブと前記バルブに電極を案内する電極導入部とが備えられた前記収納用開口から前記リフレクタ内に挿入されるとともに前記バルブから放射されて前記リフレクタの内壁により反射された放射光の焦点位置が前記電極導入部上に位置しないように前記バルブが配置された光源と、前記リフレクタから放射された光を集光すると共に前記光源から放射された光の光軸上に位置するように配置された集光用レンズと、を備える光源ユニットと、前記集光用レンズから出射された光を案内するミラートンネルと、前記ミラートンネルから出射された光を集光するレンズと、前記レンズから出射された光を受けて画像を映写するマイクロミラー素子と、前記マイクロミラー素子から映写された画像を拡大する投影レンズと、を備えることを特徴とする。
【００１９】
請求項４に記載の発明によれば、請求項１に記載の発明の作用の他に、小型化された光源ユニットを備えることで、プロジェクタ装置内における光源ユニットを収納するために必要な空間を少なくすることができる。
【００２０】
請求項５に記載の発明は、請求項４に記載のプロジェクタ装置において、前記集光用レンズは、一方のレンズ面が凹面状に形成されていると共に他方のレンズ面は凸面状に形成されていることを特徴とする。
【００２１】
請求項５に記載の発明によれば、リフレクタから放射された光を効率よく集光することができる光源ユニットを小型化することが可能となるため、プロジェクタ装置内の光源ユニットを収納するための空間を少なくすることができる。
【００２２】
請求項６に記載の発明は、請求項５に記載のプロジェクタ装置において、前記集光用レンズは、前記一方のレンズ面の中心部が窪むように形成されていると共に前記他方のレンズ面の中心部が膨出するように形成されていることを特徴とする。
【００２３】
請求項６に記載の発明によれば、請求項５に記載の発明と同様の作用を得ることができる。
【発明の効果】
【００２４】
請求項１に記載の発明によれば、ランプから放射された放射光の利用効率を高めることができるためリフレクタを小型化することが可能となり、光源ユニット全体を小型化することができる。
【００２５】
請求項２及び請求項３に記載の発明によれば、リフレクタから放射された光を効率よく集光することができるため、光源ユニット全体を小型化することができる。
【００２６】
請求項４に記載の発明によれば、小型化された光源ユニットを備えているためプロジェクタ装置自体を小型化することができる。
【００２７】
請求項５及び請求項６に記載の発明によれば、リフレクタから放射された光を効率よく集光できるレンズを備えている小型化された光源ユニットを備えているためプロジェクタ装置自体を小型化することができる。
【発明を実施するための最良の形態】
【００２８】
次に本発明の実施の形態について図面を参照して説明する。ただし、発明の範囲は図示例に限定されない。
【００２９】
図１は本発明の実施の形態に係るプロジェクタ装置の内部を表す上面図である。図２は本実施の形態のプロジェクタ装置にかかる光学系の概略構成図である。図３は光源ユニットの概略断面図である。なお、図３においてカラーホイール２０の図示は省略されている。
【００３０】
図１に示すように、プロジェクタ装置１には、ケース２が備えられている。ケース２の内部には、図示しない電源が取り付けられたプロジェクタ装置１全体を制御する電源基板３が配置されている。ケース２内の中央部付近には、電源基板３により制御される光源ユニット４が配置されている。
【００３１】
図２及び図３に示すように光源ユニット４は光源５と集光用レンズ６により構成されている。図３に示すように、光源５はリフレクタ９とリフレクタ９内に収納されたランプ１０により構成されている。
【００３２】
リフレクタ９は、多項式面形状に形成されている。リフレクタ９の多項式面形状は下記の式（１）の各パラメータに表１に示す値を代入した式で表される形状である。
【００３３】
【数１】
2006243651.tif 000003
【表１】
2006243651.tif 000004
【００３４】
ここで、z は光軸方向の軸（光の進行方向を正とする）、c は曲率半径、k はコーニック定数、r [ｍｍ] は後述する光照射用開口１１の縁部から光軸Ｋまで垂線を引いた場合のその垂線の長さである。
【００３５】
また、リフレクタ９には、光を出射するための光照射用開口１１が設けられている。また、さらにリフレクタ９の基部にもランプ収納用開口１２が設けられており、ランプ収納用開口１２からランプ１０が収納されるようになっている。
【００３６】
図４（a）に示すように、ランプ１０は、光を出射するバルブ１３とバルブ１３の長軸方向の両端に設けられたバルブ１３内に電極を導入する電極導入部１４，１４とから構成されている。またバルブ１３内には放電を行うアーク１５が備えられている。バルブ１３はリフレクタ９内のランプ収納用開口１２付近であって、バルブ１３から放射され、リフレクタ９の内壁により反射された放射光の焦点位置が電極導入部１４よりも放射光の進行方向側に形成されるように配置されている。
【００３７】
本発明に用いられるバルブ１３の具体的な形状としては、例えば以下に示すものが挙げられる。
【００３８】
まず、図４（b）に示すようコーニック係数が−０．９１５０８で曲率半径が４・１７５９６４ｍｍであって、長半径が４９．１７２３９ｍｍで短半径が１４．３２９７６ｍｍの楕円Ａを、その長軸Ｌと光軸Ｋが直交するように位置させる。この際、光軸Ｋは楕円Ａの長軸Ｌ上の一端の点Ｑから他方の一端の点Ｒ側に５．２５mmの位置で楕円Ａの長軸Ｌと直交させるように配置する（以下において、楕円Ａの長軸Ｌと光軸Ｋが直交する点を「点Ｓ」という）。
【００３９】
次に長軸Ｌ上であって、点Ｑ側に楕円Ａの中心点Ｔから２４．７７４０９ｍｍの位置に、その中心点Ｕが位置すると共に、その短軸Ｎが短軸Ｍと平行になるように楕円Ｂを配置する。楕円Ｂはコーニック係数が−０．８５７２１で曲率半径が３．１１００４７ｍｍであって、長半径が２１．７８１１ｍｍで短半径が８．２３０４４５ｍｍである。
【００４０】
次に、光軸Ｋを中心に楕円Ａと楕円Ｂを回転させる。すると、光軸Ｋを中心に回転する
光軸Ｋより点Ｑ側に位置する楕円Ａの孤Ｏによって図４（c）に示すような立体の紡錘Ｃが形成される。
【００４１】
この立体の紡錘Ｃの外延部が本実施の形態において用いられるバルブの外周部に相当する。また、光軸Ｋより点Ｑ側の楕円Ｂの孤Ｐが光軸Ｋを中心に回転することによって形成する紡錘Ｄの内側の空間がバルブにおいてアークが収納される空間に相当する。
【００４２】
そして、紡錘Ｃと紡錘Ｄの間の空間の形状がアークを収納するためのガラス部材の形状に相当し、点Ｓはバルブ内に収納されるアークの位置に相当する。このような形状のバルブ１３の長手方向の両端に図４（a）に示すようにアークに電力を供給する電極導入部１４，１４が取り付けられて、本発明に用いられるランプ１０が形成されることとなる。
【００４３】
リフレクタ９の光照射用開口１１から出射された光の進行方向には集光用レンズ６が配置されている。集光用レンズ６は光照射用開口１１から出射された光を十分に集光して光の進行方向に出射できるものであれば、その形状に限定はない。集光用レンズとして用いることのできるレンズの一例を以下に示す。
【００４４】
図５は集光用レンズ６の一例の概略斜視図であり、図６は図５に示す集光用レンズ６のＶＩ−ＶＩ断面図である。
【００４５】
図５及び図６に示すように、リフレクタ９の光照射用開口１１から出射された光が照射される側のレンズ面１６は、凹面状に形成されているとともに、中心部が最も窪むように形成されている。また、集光用レンズ６の光が出射される側のレンズ面１７は、凸面状に形成されているとともにレンズ面１７の中心部が膨出するように形成されている。なお、集光用レンズはレンズ面１６の中心部は窪むように形成されていると共にレンズ面１７の中心部は膨出するように形成されているが、レンズ面１６は単に凹面状に形成されていると共にレンズ面１７も単に凸面状に形成することとしてもよい。
【００４６】
集光用レンズ６は、レンズ面１６が光源５のリフレクタ９の光照射用開口１１に対向すると共に、レンズ面１７が後述するミラートンネル２１の入射面２１ａに対向するように配置されている。また、集光用レンズ６は、レンズ面１６の中心及びレンズ面１７の中心が光軸Ｋ上に位置するように配置されている。
【００４７】
集光用レンズ６の光源５側のレンズ面１６の形状及びミラートンネル２１側のレンズ面１７の形状は下記の式（２）の各パラメータに表２に示す値を代入した式で表される。
【００４８】
【数２】
2006243651.tif 000005
【表２】
2006243651.tif 000006
【００４９】
ここで、z は光軸方向の軸（光の進行方向を正とする）、c は曲率半径、k はコーニック定数である。またr [ｍｍ] は図６に示すように集光用レンズ６の縁部の一点である点Ｖから光軸Ｋまで垂線Ｚを引いた場合における、点Ｖからその垂線と光軸Ｋの交わる点Ｗまでの長さである。
【００５０】
集光用レンズ６の光源５側のレンズ面１６は照射された光を集光してミラートンネル２１側のレンズ面１７に導く範囲（以下「有効範囲」という）とそれ以外の範囲に分けることができる。有効範囲１９は、例えば、半径は１０ｍｍの集光用レンズの場合には、図７に示すように、中心点Ｘから半径１．５ｍｍの範囲の外側であって、中心点から９ｍｍの内側の範囲となっている。そして、点Ｗから中心点Ｘまでの距離は３．４ｍｍ、中心点Ｘから光軸Ｋとレンズ面１７が交わる点Ｙまでの距離は６．５１ｍｍである。
【００５１】
図１及び図２に示すように、集光用レンズ６の光の出射方向には、集光用レンズ６から出射された光を赤色（Ｒ）、緑色（Ｇ）、青色（Ｂ）の各色に変換するカラーホイール２０が配置されている。カラーホイール２０を透過した光の進行方向にはミラートンネル２１が配置されており、ミラートンネル２１の光の出射方向には画像をスクリーンに投影するための映像ユニット２２が配置されている。なお、カラーホイール２０はミラートンネル２１の光の出射方向側に配置することとしてもよい。
【００５２】
カラーホイール２０は、円形の回転板であり、周方向に並べられた赤色（Ｒ）、緑色（Ｇ）、青色（Ｂ）のカラーフィルタが備えられている。カラーホイール２０は回転の中心軸を光軸Ｋの側方にずらして配置されている。
【００５３】
ミラートンネル２１は、透明な角柱であり、光軸Ｋに沿って配設されている。このミラートンネル２１は、入射面２１ａからの入射光をミラートンネル２１の側面と外気層との界面で全反射させながら光軸方向に導き、均一な強度分布の光束として出射面２１ｂから出射するようになっている。なお、このようなミラートンネル２１としては、内周面全体に反射膜が設けられた角筒を用いることとしてもよい。
【００５４】
図１及び図２に示すように、ミラートンネル２１から光が出射される方向には映像ユニット２２が配置されている。図２に示すように、映像ユニット２２は、例えば、ミラートンネル２１から出射された光が照射されるレンズ２３、レンズ２３から出射された光が照射されるマイクロミラー素子２４及びマイクロミラー素子２４により反射される光が投影される投影レンズ２５により構成される。
【００５５】
レンズ２３は、ミラートンネル２１から出射された光をマイクロミラー素子２４に投射するものである。図２ではレンズ２３を単レンズとして図示しているが、複数枚のレンズからなることとしてもよい。
【００５６】
マイクロミラー素子２４は、複数のマイクロミラーによって表示画像の１つ１つの画素を形成し、これらマイクロミラーの傾き方向を切り換えることで画素の明暗を切り換えて画像を映写するものである。マイクロミラーは、アルミニウム片などの極薄金属片で形成されており、縦横の幅が１０μｍ〜２０μｍとなっている。これらのマイクロミラーは、行方向及び列方向にマトリックス状に配列形成されたＣＭＯＳ等の複数のミラー駆動素子（図示せず）の上にそれぞれ設けられている。
【００５７】
投影レンズ２５は、マイクロミラー素子２４からの反射光を拡大してスクリーン（図示せず）に投射するものである。なお、図２では投影レンズ２５を単レンズとして図示しているが、複数枚のレンズからなることとしてもよい。
【００５８】
図１に示すように、ケース２とミラートンネル２１の間には光源５を冷却するために光源５内に冷却風を流し込むシロッコファン２６が配置されている。また、リフレクタ９のランプ収納用開口１２された方向には光源５内に流し込まれた風をケース２内から排出するための軸流ファン２９が配置されている。
【００５９】
ここで、本実施の形態において用いる光源ユニット４の位置関係の一例について説明する。なお、ここにおけるリフレクタ、ランプ及び集光用レンズの寸法は、上記において例示したものを用いるものである。図８は光源ユニット４を構成する部材の位置関係を表す光源ユニット４の概略断面図である。なお、図８においては位置関係を明確にするためカラーホイール２０の図示は省略するものとする。
【００６０】
アーク１５は、光軸Ｋ上であるとともに、リフレクタ９の基部から５．７９４ｍｍの距離に位置するように配置されている。集光用レンズ６は、光源５側のレンズ面１６の中心はアーク１５から３３．３４ｍｍの距離に位置するように配置されている。また、ミラートンネル２１は、アーク１５から入射面２１aと光軸Ｋ上が直行する点までの距離が４７．５ｍｍとなるように配置されている。
【００６１】
次に本発明の実施の形態の作用について説明する。
【００６２】
プロジェクタ装置１を駆動させると光源５のバルブ１３から光が放射され、放射された光の大部分はリフレクタ９の鏡面加工が施された内壁に照射される。
【００６３】
このとき、図３に示すように光源５のバルブ１３はリフレクタ９内のランプ収納用開口１２付近であって、バルブ１３から放射されリフレクタ９の内壁により反射された放射光の焦点位置が集光用レンズ６側の電極導入部１４の先端部よりも反射光の進行方向側に形成されるように配置されているため、反射光の大部分は集光用レンズ６のレンズ面１６の中央部以外の部分に照射される。集光用レンズ６のレンズ面１６に照射された光のうち有効範囲１９に照射された光は集光された後に、レンズ面１７からカラーホイール２０に照射される。
【００６４】
カラーホイール２０に照射された光は、カラーホイール２０に備えられた赤色（Ｒ）、緑色（Ｇ）、青色（Ｂ）の各色のフィルタにより赤、緑、青の三色に変換された後にミラートンネル２１の入射面２１ａに照射される。ミラートンネル２１内に入射された光は、図３に示すようにミラートンネル２１内の側面と外気層との界面で全反射されながら光軸方向に導かれ、出射面２１ｂから出射された後にレンズ２３に照射される。
【００６５】
レンズ２３に照射された光はレンズ２３によりその光束が拡大された後に、マイクロミラー素子２４に照射される。そして、マイクロミラー素子２４により反射された光は投影レンズ２５によりにより拡大されて図示しないスクリーンに投射される。
【００６６】
以上のように本発明によれば、バルブ１３から放射されリフレクタ９により反射された放射光の焦点位置は電極導入部１４にはないため、放射光の大部分はランプの電極導入部１４にあたることはないため減衰することはなく、レンズに照射され放射光の損失を少なくすることができるため、光源５から放射された放射光の利用効率を高めることが可能となるためリフレクタ９を小型化することが可能となり、光源ユニット４全体を従来の光源ユニットと比較して小型化することができる。
【００６７】
また、光源ユニット４を小型化したためそれを搭載するプロジェクタ装置１自体を小型化することができる。
【図面の簡単な説明】
【００６８】
【図１】本発明の実施の形態に係るプロジェクタ装置の内部上面図である。
【図２】本実施の形態のプロジェクタ装置にかかる光学系の概略構成図である。
【図３】光源ユニットの概略断面図である。
【図４】本発明に用いられるランプを表す概略図である。
【図５】本実施の形態に係る集光用レンズの概略斜視図である。
【図６】図５に示す集光用レンズのＶＩ−ＶＩ断面図である。
【図７】本実施の形態に係る集光用レンズの光源側のレンズ面概略正面図である。
【図８】光源ユニットを構成する部材の位置関係を表すための模式図である。
【図９】従来の光源ユニットの断面図である。
【符号の説明】
【００６９】
１     プロジェクタ装置
２     ケース
４     光源ユニット
５     光源
６     集光用レンズ
９     リフレクタ
１０   ランプ
１１   光照射用開口
１２   ランプ収納用開口
１３   バルブ
１４   電極導入部
１５   アーク
１６   レンズ面
１７   レンズ面
２０   カラーホイール
２１   ミラートンネル
【図１】
2006243651.tif 000007
【図２】
2006243651.tif 000008
【図３】
2006243651.tif 000009
【図４】
2006243651.tif 000010
【図５】
2006243651.tif 000011
【図６】
2006243651.tif 000012
【図７】
2006243651.tif 000013
【図８】
2006243651.tif 000014
【図９】
2006243651.tif 000015
【手続補正書】
【提出日】平成18年5月25日(2006.5.25)
【手続補正１】
【補正対象書類名】特許請求の範囲
【補正対象項目名】全文
【補正方法】変更
【補正の内容】
【特許請求の範囲】
【請求項１】
ランプ収納用開口と光照射用開口が形成されているとともに内面が鏡面加工されているリフレクタと、
光を放射するバルブと前記バルブに電極を案内する電極導入部とが備えられた前記収納用開口から前記リフレクタ内に挿入されるとともに前記バルブから放射されて前記リフレクタの内壁により反射された放射光の焦点位置が前記電極導入部上に位置しないように前記バルブが配置された光源と、
前記リフレクタから放射された光を集光すると共に前記光源から放射された光の光軸上に位置するように配置された集光用レンズと、
を備えることを特徴とする光源ユニット。
【請求項２】
前記集光用レンズは、一方のレンズ面が凹面状に形成され、他方のレンズ面は凸面状に形成されていることを特徴とする請求項１に記載の光源ユニット。
【請求項３】
前記集光用レンズは、前記一方のレンズ面の中心部が窪むように形成されているとともに、前記他方のレンズ面の中心部が膨出するように形成されていることを特徴とする請求項２に記載の光源ユニット。
【請求項４】
ランプ収納用開口と光照射用開口が形成されていると共に内面が鏡面加工されているリフレクタと、
光を放射するバルブと前記バルブに電極を案内する電極導入部とが備えられた前記収納用開口から前記リフレクタ内に挿入されるとともに前記バルブから放射されて前記リフレクタの内壁により反射された放射光の焦点位置が前記電極導入部上に位置しないように前記バルブが配置された光源と、
前記リフレクタから放射された光を集光すると共に前記光源から放射された光の光軸上に位置するように配置された集光用レンズと、
を備える光源ユニットと、
前記集光用レンズから出射された光を案内するミラートンネルと、
前記ミラートンネルから出射された光を集光するレンズと、
前記レンズから出射された光を受けて画像を映写するマイクロミラー素子と、
前記マイクロミラー素子から映写された画像を拡大する投影レンズと、
を備えることを特徴とするプロジェクタ装置。
【請求項５】
前記集光用レンズは、一方のレンズ面が凹面状に形成され、他方のレンズ面は凸面状に形成されていることを特徴とする請求項４に記載のプロジェクタ装置。
【請求項６】
前記集光用レンズは、前記一方のレンズ面の中心部が窪むように形成されていると共に前記他方のレンズ面の中心部が膨出するように形成されていることを特徴とする請求項５に記載のプロジェクタ装置。
【手続補正２】
【補正対象書類名】明細書
【補正対象項目名】０００９
【補正方法】変更
【補正の内容】
【０００９】
上記課題を解決するため、請求項１に記載の光源ユニットは、ランプ収納用開口と光照射用開口が形成されているとともに内面が鏡面加工されているリフレクタと、光を放射するバルブと前記バルブに電極を案内する電極導入部とが備えられた前記収納用開口から前記リフレクタ内に挿入されるとともに前記バルブから放射されて前記リフレクタの内壁により反射された放射光の焦点位置が前記電極導入部上に位置しないように前記バルブが配置された光源と、前記リフレクタから放射された光を集光すると共に前記光源から放射された光の光軸上に位置するように配置された集光用レンズと、を備えることを特徴とする。
【手続補正３】
【補正対象書類名】明細書
【補正対象項目名】００１０
【補正方法】変更
【補正の内容】
【００１０】
請求項１に記載の発明によれば、バルブから放射された光を所望の位置に集光させることができる。
【手続補正４】
【補正対象書類名】明細書
【補正対象項目名】００１８
【補正方法】変更
【補正の内容】
【００１８】
請求項４に記載のプロジェクタ装置は、ランプ収納用開口と光照射用開口が形成されているとともに内面が鏡面加工されているリフレクタと、光を放射するバルブと前記バルブに電極を案内する電極導入部とが備えられた前記収納用開口から前記リフレクタ内に挿入されるとともに前記バルブから放射されて前記リフレクタの内壁により反射された放射光の焦点位置が前記電極導入部上に位置しないように前記バルブが配置された光源と、前記リフレクタから放射された光を集光すると共に前記光源から放射された光の光軸上に位置するように配置された集光用レンズと、を備える光源ユニットと、前記集光用レンズから出射された光を案内するミラートンネルと、前記ミラートンネルから出射された光を集光するレンズと、前記レンズから出射された光を受けて画像を映写するマイクロミラー素子と、前記マイクロミラー素子から映写された画像を拡大する投影レンズと、を備えることを特徴とする。